(57)【特許請求の範囲】
【請求項１】
建物立ち上り部の上面に笠木取付け金具をビスのねじ込みによって固定し、前記建物立ち上り部の上部に被せた笠木を前記笠木取付け金具に係止することにより固定配置し、前記建物立ち上り部の上面と笠木の対向面間で、笠木の上面に対して手摺り支柱を設置する部分に該当する位置に、その上面が笠木の内面を受けるように形成された手摺り支柱の固定用ベース板を、ビスのねじ込みによる建物立ち上り部への固定によって配置し、前記手摺り支柱の下端に座板をビス止め固定し、この座板を笠木上で固定用ベース板の直上位置に重ね、前記座板に設けたビス孔から笠木及び手摺り支柱の固定用ベース板にねじ込んだビスで笠木の上に固定することにより、笠木の上に手摺り支柱を起立配置し、
上記手摺り支柱の固定用ベース板は、建物立ち上り部の長さ方向に沿わせる扁平角筒部と、この扁平角筒部の筒軸に交差する方向の両側に設けたフランジ部とからなり、前記扁平角筒部は、上板を下板よりも厚肉として筒軸に交差する方向の中央に上板と下板とを結ぶ仕切り板を有して強度を確保できるようになっているとともに、建物立ち上り部の上面に載置した状態で笠木の内面を支持する高さを有し、この扁平角筒部とその両側のフランジ部は下面がフラットになり、フランジ部は、扁平角筒部の高さよりも低い厚みを有し、その上面が扁平角筒部から外側端部に向けて下がる傾斜面に形成され、前記フランジ部にビス挿通孔が前記傾斜面に対して直角の配置で貫通するように設けられて、座板に設けたビス孔からねじ込まれたビスは、笠木を貫通して支柱固定用ベース板の扁平角筒部における上板にねじ込まれる建物立ち上がり部分の手摺り取付け装置。
【請求項２】
上記座板は、支柱の横断面形状よりも平面的に大きな金属板で形成され、この座板には、支柱と結合するビスのビス孔と、座板を建物立ち上り部の上面に固定するビスのビス孔が設けられ、前記支柱と結合するビスのビス孔は、支柱の内面に設けたビスねじ込み溝に合わせた配置と数で設けられ、座板の下面側における端部がビスの頭部が納まる大径孔に形成され、建物立ち上り部の上面に固定するビスのビス孔は、支柱を結合する部分よりも外側の位置に設けられている請求項１に記載の建物立ち上がり部分の手摺り取付け装置。
【発明の詳細な説明】
【技術分野】
【０００１】
この発明は、バルコニーやベランダ等の建物の立ち上り部の上端を笠木で覆うと共に、この笠木の上に手摺りを固定配置するための建物立ち上がり部分の手摺り取付け装置に関する。
【背景技術】
【０００２】
従来、建物の立ち上り部を笠木で覆い、その上に手摺りを固定配置するための取付け装置は、建物の立ち上り部の上面に多数の笠木取付け金具をビスのねじ込みにより固定して所定間隔で配置し、前記建物立ち上り部の上部に被せる笠木には、支柱取付け位置の内面側に支柱補強金具と外面側に支柱の下端を重ね、支柱補強金具の下面から支柱に設けたビスねじ込み溝にビスをねじ込むことにより、支柱補強金具と笠木及び支柱の三者を固定化し、笠木の上面に支柱を起立させる。
【０００３】
このようにした笠木を建物立ち上り部の上部に被せ、建物立ち上り部に上から押し込むことにより、この笠木の内面で両側の位置に設けた係合片を上記笠木取付け金具に係止することにより、建物立ち上り部の上部に笠木を固定配置するようにしている（例えば、特許文献１参照）。
【０００４】
上記のような手摺り取付け装置は、笠木の上面に起立する支柱の直下において、建物立ち上り部の上面と笠木の間に支柱補強金具が位置することにより、支柱の起立強度を確保することになり、笠木の上に支柱を固定するビスが外部に露見しないため、外観的に仕上がりの体裁が向上するという利点がある。
【先行技術文献】
【特許文献】
【０００５】
【特許文献１】特開２００６−８３６５８号公報
【発明の概要】
【発明が解決しようとする課題】
【０００６】
ところで、上記した従来の手摺り取付け装置は、笠木を建物立ち上り部の上部に被せて取付ける前に、笠木の上面に支柱を予め先付け固定しておかなければならず、実際の施工において、上面に複数の支柱が直角の配置で取付けられている長い笠木は、この笠木を建物立ち上り部の上部に被せる作業時の取り扱いに困難をきたし、取付け時に支柱が振れることで作業が行いにくいという点で改良の余地が見出された。
【０００７】
また、支柱が先付けされた笠木は全体の重量が重くなり、その取り扱いや建物立ち上り部への被せ作業に複数の作業者が必要になる。
【０００８】
そこで、この発明の課題は、笠木を建物立ち上り部に対して取付けた後、笠木に対して支柱を後付で固定するようにし、建物立ち上り部に対する笠木及び支柱の固定作業が安全に能率よく省力的に行える建物立ち上がり部分の手摺り取付け装置を提供することにある。
【課題を解決するための手段】
【０００９】
上記のような課題を解決するため、この発明は、建物立ち上り部の上面に笠木取付け金具をビスのねじ込みによって固定し、前記建物立ち上り部の上部に被せた笠木を前記笠木取付け金具に係止することにより固定配置し、前記建物立ち上り部の上面と笠木の対向面間で、笠木の上面に対して手摺り支柱を設置する部分に該当する位置に、その上面が笠木の内面を受けるように形成された手摺り支柱の固定用ベース板を、ビスのねじ込みによる建物立ち上り部への固定によって配置し、前記手摺り支柱の下端に座板をビス止め固定し、この座板を笠木上で固定用ベース板の直上位置に重ね、前記座板に設けたビス孔から笠木及び手摺り支柱の固定用ベース板にねじ込んだビスで笠木の上に固定することにより、笠木の上に手摺り支柱を起立配置したものである。
【００１０】
上記手摺り支柱の固定用ベース板は、建物立ち上り部の長さ方向に沿わせる扁平角筒部と、この扁平角筒部の両側に設けたフランジ部とからなり、前記扁平角筒部は、建物立ち上り部の上面に載置した状態で笠木の内面を支持する高さを有し、この扁平角筒部とその両側のフランジ部は下面がフラットになり、フランジ部は、扁平角筒部の高さよりも低い厚みを有し、その上面が扁平角筒部から外側端部に向けて下がる傾斜面に形成され、前記フランジ部にビス挿通孔が前記傾斜面に対して直角の配置で貫通するように設けられているようにすることができる。
【００１１】
上記座板は、支柱の横断面形状よりも平面的に大きな金属板で形成され、この座板には、支柱と結合するビスのビス孔と、座板を建物立ち上り部の上面に固定するビスのビス孔が設けられ、前記支柱と結合するビスのビス孔は、支柱の内面に設けたビスねじ込み溝に合わせた配置と数で設けられ、座板の下面側における端部がビスの頭部が納まる大径孔に形成され、建物立ち上り部の上面に固定するビスのビス孔は、支柱を結合する部分よりも外側の位置に設けられているようにしたものである。
【００１２】
ここで、笠木取付け金具は、建物立ち上り部の幅方向に沿わせるベース板の中央に笠木受け板と、両端に上端が内側に向く弧状となる誘導壁を設け、前記ベース板に建物立ち上り部へねじ込んで笠木取付け金具を固定するビスのための長孔を設けた構造を有し、前記誘導壁の外側端部が係合溝となり、前記笠木取付け金具の上に被せる笠木の内側面で幅方向の両側位置に、前記係合溝に外接する係合片を設け、笠木を笠木取付け金具上に押し込むと、係合片の下端は誘導壁で外側に押し広げられ、誘導壁の下端を通過した時点で復帰して係合溝に係合し、建物立ち上り部に対して笠木を固定化するようになっている。
【００１３】
この笠木取付け金具には、幅の広いものと狭いものの二種類が用意され、笠木の突き合わせ接続部分の位置に幅の広い笠木取付け金具を用い、その他の中間部の位置には幅の狭い笠木取付け金具を使用する。
【００１４】
上記支柱の固定用ベース板は、アルミの押し出し成形品を所定の長さに切断して得られたものであり、扁平角筒部の上板を厚肉とすることで、ビスのねじ込みに対する引抜き強度を確保できるようになっていると共に、フランジ部に設けたビス挿通孔が上面の傾斜面に対して直角の配置で貫通しているので、この固定用ベース板を建物立ち上り部に固定するためビス挿通孔からねじ込むビスは、垂直に対して斜めにねじ込まれることになり、垂直の引っ張り荷重に対する固定強度が向上することになる。
【発明の効果】
【００１５】
この発明によると、建物立ち上り部の上面に、笠木取付け金具と支柱の固定用ベース板を固定し、建物立ち上り部に被せた笠木を笠木取付け金具に係止固定した後、下端に座板をビス止め固定した手摺り支柱を笠木上で固定用ベース板の直上位置に重ね、前記座板に設けたビス孔から笠木及び手摺り支柱の固定用ベース板にねじ込んだビスで、前記笠木の上に手摺り支柱を起立固定するようにしたので、笠木を建物立ち上り部に対して取付けた後、笠木に対して支柱を後付で固定することができ、笠木及び支柱を単体のままで取り扱えるので、建物立ち上り部に対する笠木及び支柱の固定作業が安全に能率よく省力的に行える。
【００１６】
また、建物立ち上り部の上面に支柱の固定用ベース板をビス止め固定し、支柱の下端にビス止め固定した座板を笠木の上に重ね、座板から支柱の固定用ベース板にビスをねじ込むことで手摺り支柱を固定するので、笠木の上面からの作業となり、支柱固定作業が行いやすいだけでなく、支柱を建物立ち上り部に対して強固に固定することができる。
【００１７】
更に、支柱の固定用ベース板を建物立ち上り部に固定するビスのねじ込みが斜めになるようにしたので、支柱の固定用ベース板の上方への引抜き荷重に対する固定強度が向上し、支柱を強固に固定することができる。
【図面の簡単な説明】
【００１８】
【図１】（ａ）はこの発明に係る建物立ち上がり部分の手摺り取付け装置を示す手摺り取付け完了状態の正面図、（ｂ）は同平面図
【図２】図１（ａ）の矢印ａ−ａで示す笠木取付け金具の部分での拡大した縦断側面図
【図３】（ａ）は同じく支柱の固定用ベース板の部分での拡大した縦断側面図、（ｂ）は図２の矢印ｂ−ｂにおける手摺り支柱の部分での横断平面図
【図４】手摺り取付け装置における端部の処理構造を示す縦断側面図
【図５】この発明に係る建物立ち上がり部分の手摺り取付け装置を示す全体の分解斜視図
【図６】この発明に係る建物立ち上がり部分の手摺り取付け装置の一部分を拡大した分解斜視図
【図７】建物立ち上がり部分と笠木取付け金具、支柱の固定用ベース板、笠木、支柱の関係を拡大した分解斜視図
【発明を実施するための形態】
【００１９】
以下、この発明の実施の形態を添付図面に基づいて説明する。
【００２０】
図５のように、建物立ち上がり部１の手摺り取付け装置は、ベランダやバルコニーにおけるコンクリート製の建物立ち上り部１の上面に所定の間隔配置で固定する多数の笠木取付け金具２と、前記建物立ち上り部１の上部に被せた状態で、前記笠木取付け金具２を用いて固定配置する笠木３と、前記建物立ち上り部１の上面と笠木３の間において固定する支柱固定用ベース板４と、笠木３の上に立設する複数本の支柱５と、各支柱５の下端部に取付けられ、支柱５を笠木３の上面に固定するために用いる座板６と、支柱５の上端間に固定する手摺り７とで形成されている。
【００２１】
上記笠木３は、図２のように、帯状天板の幅方向両側に垂れ下がり部を設け、建物立ち上り部１の上部を覆うことのできる幅の断面略下向きコ字状に、アルミ等の材料を用いて押出成形され、取付けんとする建物立ち上り部１の幅寸法の変化に対応するため、幅寸法の異なるものが複数用意されている。
【００２２】
上記笠木３の下面で幅方向の両側位置に、上記笠木取付け金具２に対して係止するため、下端に内向きの爪を有する係合片８が下向きに突出するように設けられている。
【００２３】
この一対となる係合片８は笠木の長さ方向に沿うよう全長にわたって設けられ、その配置間隔は、幅の異なる笠木３においても同じ間隔とし、笠木取付け金具２を共通使用することができるようにしている。
【００２４】
上記笠木取付け金具２は、図２と図７に示すように、アルミ製であり、建物立ち上り部の幅方向に沿わせるベース板９の中央にＴ字形の笠木受け板１０と、両端に上端が内側に向く弧状となる誘導壁１１を設け、前記ベース板９に建物立ち上り部１へねじ込んで笠木取付け金具２を固定するタッピングビス１２を挿通するための長孔１３を設けた構造を有し、前記誘導壁１１の外側端部が係合溝１４となり、この笠木取付け金具２の上に被せた笠木３を上から押し込むと、笠木３に設けた係合片８の下端は誘導壁１１で外側に押し広げられ、誘導壁１１の下端を通過した時点で復帰して係合溝１４に係合し、建物立ち上り部１に対して笠木３を固定化するようになっている。なお、係合溝１４の下には係合片８の下降を阻止するストッパー板１５が突設してある。
【００２５】
上記のように、建物立ち上り部１に固定した笠木取付け金具２に上から押し込んで笠木３を固定すると、笠木３の下面中央部が笠木受け板１０で受けられることになる。
【００２６】
この笠木取付け金具２には、図６に示すように、幅の広いものと狭いものの二種類が用意され、笠木３の突き合わせ接続部分の位置には幅の広い笠木取付け金具２ａを用い、笠木３の両端を支持することができるようにし、その他の中間部の位置には幅の狭い笠木取付け金具２ｂを使用する。
【００２７】
上記支柱固定用ベース板４は、図３（ａ）と図７等に示すように、建物立ち上り部１の長さ方向に沿わせる扁平角筒部１６と、この扁平角筒部１６の両側に設けたフランジ部１７とからなり、アルミの押し出し成形品を所定の長さに切断して得られたものであり、前記扁平角筒部１６は、建物立ち上り部１の上面に載置した状態で笠木３の内面を支持する高さを有し、この扁平角筒部１６とその両側のフランジ部１７は下面が同一のフラットになり、フランジ部１７は、扁平角筒部１６の高さよりも低い厚みを有し、その上面が扁平角筒部１６から外側端部に向けて下がる傾斜面１７ａに形成され、前記フランジ部１７に複数のビス挿通孔１８が前記傾斜面１７ａに対して直角の配置で貫通するように設けられている。
【００２８】
図３（ａ）のように、上記扁平角筒部１６の上板を厚肉とし、扁平角筒部１６の中央に仕切り板を設けることで強度を確保できるようになっていると共に、フランジ部１７に設けたビス挿通孔１８が上面の傾斜面１７ａに対して直角の配置で貫通しているので、建物立ち上り部１にねじ込むタッピングビス１９は、垂直に対して斜めにねじ込まれ、垂直の引っ張り荷重に対する固定強度を向上させるようになっている。
【００２９】
上記支柱５は、図７のように、アルミを用いて角筒に形成され、内面における一組の対向壁にはそれぞれ一対のビスねじ込み溝２０が全長にわたって設けられている。
【００３０】
この支柱５の下端に固定する座板６は、支柱５の横断面形状よりも平面的に大きな厚みのあるアルミ等の角形金属板で形成され、この座板６には、支柱５と結合するタッピングビス２１のビス孔２２と、座板６を支柱固定用ベース板４に対して固定するタッピングビス２３のビス孔２４が設けられ、前記支柱５と結合するタッピングビス２１のビス孔２２は、支柱５の内面に設けたビスねじ込み溝２０に合わせた配置と数で設けられ、図４のように、座板６の下面側における端部がタッピングビス２１の頭部が納まる大径孔に形成され、建物立ち上り部１の上面に固定するタッピングビス２３のビス孔２４は、支柱５を結合する部分よりも外側の四隅の位置に設けられている。
【００３１】
上記笠木３の上面に固定した座板６は、図２乃至図４に示すように、二つ割でビス結合する合成樹脂製のカバー２５で覆い、座板６及びタッピングビス２３の頭部が外部から見えないようにして美観の向上を図ると共に、雨水からの保護を図るようにし、また、笠木３及び手摺り７の突き合わせ端部は、それぞれに外嵌するよう形成したキャップ３ａ、７ａで覆い、更に、笠木３及び手摺り７の端部はそれぞれに外嵌するよう形成したエンドキャップ３ｂ、７ｂを被せることで仕上げ処理を施している。
【００３２】
なお、手摺り７は、図２や図６に示すように、支柱５の上端にビス２６で固定するベース部材２７と、これに被せて係止固定する手摺り本体２８との組み合わせによって形成され、隣接する支柱５間には、図１（ａ）と図２のように、支柱５間に固定した上下横桟２９と、上下横桟２９間に固定した多数の縦桟３０からなる格子３１を取り付けるようになっている。
【００３３】
この発明の手摺りの取り付け装置は、上記のような構成であり、次に、建物立ち上がり部１に対する手摺り７の取付け方法を説明する。
【００３４】
建物立ち上がり部１に手摺り７を取付けるには、図５のように、センター出しをした建物立ち上がり部１の上面に、広幅の笠木取付け金具２ａと狭い幅の笠木取付け金具２ｂをそれぞれ長孔１３からねじ込んだタッピングビス１２で固定する。
【００３５】
上記広幅の笠木取付け金具２ａは、笠木３の突合せ端部に該当する位置に、建物立ち上がり部１の幅方向に沿って誘導壁１１が並列する配置で、また、狭い幅の笠木取付け金具２ｂはその他の中間部の複数箇所の位置に、同じく建物立ち上がり部１の幅方向に沿って誘導壁１１が並列する配置固定する。
【００３６】
また、建物立ち上がり部１に被せる笠木３においては、被せる位置及びその上面に対する手摺り支柱５の取付け位置が設計図によって指定されており、従って、建物立ち上がり部１の上面において、笠木３を被せる前に、笠木３の上に設ける手摺り支柱５の直下に該当する位置に、タッピングビス１９を用いて支柱固定用ベース板４を固定しておく。
【００３７】
上記支柱固定用ベース板４は、両側のフランジ部１７が建物立ち上がり部１の幅方向に位置するよう配置し、このフランジ部１７に設けたビス孔１８から建物立ち上がり部１にタッピングビス１９をねじ込むことにより固定し、前記ビス孔１８は傾斜しているので、タッピングビス１９は図３（ａ）のように斜めにねじ込まれ、上方への引張り加重に対する固定強度を向上させている。
【００３８】
次に、笠木３を建物立ち上がり部１の上に臨ませて被せると、笠木３の下面両側に設けた係合片８が笠木取付け金具２の両側誘導壁１１に載り、この状態で、笠木３を笠木取付け金具２に向けて上から押し込むと、図２のように、係合片８が誘導壁１１の外面を強制的に通過し、係合溝１４と係合片８が互に係合し、係合片８がストッパー板１５で下降しないよう支持され、これによって、笠木３の上方への抜け止めとなり、笠木３は建物立ち上がり部１にこれを覆うように固定される。
【００３９】
建物立ち上がり部１に固定された笠木３は、各笠木取付け金具２に臨む位置において、下面中央が笠木受け板１０で受けられ、これと同時に、笠木３の各支柱固定用ベース板４上に位置する手摺り支柱５を取り付けんとする部分は扁平角筒部１６の上に重なって支持される。
【００４０】
また、上記笠木３は、突き合わせ部分をキャップ３ａによって覆うように処理し、端部はエンドキャップ３ｂによって処理する。
【００４１】
このようにして建物立ち上がり部１の上に笠木３を取付けた後、笠木３の上面の指定された取付け位置に手摺り支柱５を固定し、各支柱５の下端部はカバー部材２５で覆うことにより防水処理する。
【００４２】
上記支柱５の固定は、支柱５の下端に座板６をタッピングビス２１のねじ込みによって予め固定しておき、この支柱５の座板６を笠木３の上面で指定された取付け位置に重ねれば、その下に支柱固定用ベース板４が位置することになり、この状態で座板６に設けたビス孔２４にタッピングビス２３をねじ込むと、タッピングビス２３は笠木３を貫通して支柱固定用ベース板４の扁平角筒部１６における上板にねじ込まれ、支柱５は笠木３を挟んで支柱固定用ベース板４に固定され、笠木３の上に起立状の配置となる。
【００４３】
このようにして笠木３の上に複数の手摺り支柱５を取り付けた後、各支柱５の上端にわたってベース部材２７をビス２６で固定し、このベース部材２７の上に手摺り本体２８を被せて係止固定することで手摺り７を形成し、突き合わせ部分をキャップ７ａによって覆うように処理し、端部はエンドキャップ７ｂによって処理し、更に、隣接する支柱５間に格子３１を取付けるようにすれば、図１（ａ）、（ｂ）のように、建物立ち上がり部１に対する手摺り７の取り付けが完了する。
【００４４】
上記のように、建物立ち上がり部１に対する手摺り７の取付けにおいて、笠木３に対して手摺り支柱５を後付けするようにしているので、笠木３は建物立ち上がり部１に被せるとき単体で取り扱え、一人の作業者で容易に取り扱うことができ、手摺り支柱５を固定するタッピングビス２３はカバー部材２５で覆うことで外部に露見しないので、仕上がりの外観形状が向上すると共に、笠木３と手摺り支柱５の固定部分の防水も確保できる。
【００４５】
また、建物立ち上がり部１に支柱固定用ベース板４をビス止め固定し、この支柱固定用ベース板４上に笠木３を介して手摺り支柱５をビス止め固定するので、笠木３を建物立ち上がり部１に対して固定化できると同時に、手摺り支柱５の前後及び左右横方向への負荷に対する固定強度が向上することになる。
【符号の説明】
【００４６】
１          建物立ち上り部
２          笠木取付け金具
３          笠木
４          支柱固定用ベース板
５          支柱
６          座板
７          手摺り
８          係合片
９          ベース板
１０        笠木受け板
１１        誘導壁
１２        タッピングビス
１３        長孔
１４        係合溝
１５        ストッパー板
１６        扁平角筒部
１７        フランジ部
１７ａ      傾斜面
１８        ビス挿通孔
１９        タッピングビス
２０        ビスねじ込み溝
２１        タッピングビス
２２        ビス孔
２３        タッピングビス
２４        ビス孔
２５        カバー
２６        ビス
２７        ベース部材
２８        手摺り本体
２９        上下横桟
３０        縦桟
３１        格子
【図１】
0005455252.tif 000002
【図２】
0005455252.tif 000003
【図３】
0005455252.tif 000004
【図４】
0005455252.tif 000005
【図５】
0005455252.tif 000006
【図６】
0005455252.tif 000007
【図７】
0005455252.tif 000008